(57)【要約】【課題】送信データ量を抑制しつつ、商品の画像と追加の情報とを容易にユーザに提供することができる情報処理装置を実現する。【解決手段】実施形態によれば、情報処理装置は、処理手段と、送信手段とを具備する。前記処理手段は、複数の商品に対応する複数の画像データを含むコンテンツデータを生成し、オペレータの操作に応じて、前記複数の画像データの各々に、端末内の記憶領域に格納された複数の効果音データの１つを示す効果音識別子を関連付ける処理を実行する。前記送信手段は、前記複数の画像データの各々を当該画像データに関連付けられた効果音識別子と共に前記端末に送信して前記複数の画像データの各々と前記複数の画像データの各々に対応する効果音データとを前記端末に再生させる。【選択図】図５
2015153294.tif 000002
【特許請求の範囲】
【請求項１】
複数の商品に対応する複数の画像データを含むコンテンツデータを生成し、オペレータの操作に応じて、前記複数の画像データの各々に、端末内の記憶領域に格納された複数の効果音データの１つを示す効果音識別子を関連付ける処理を実行する処理手段と、
前記複数の画像データの各々を当該画像データに関連付けられた効果音識別子と共に前記端末に送信して前記複数の画像データの各々と前記複数の画像データの各々に対応する効果音データとを前記端末に再生させる送信手段とを具備する情報処理装置。
【請求項２】
前記複数の商品は複数の食品であり、
前記複数の効果音データは複数種の調理音を表す複数の音データである、請求項１記載の情報処理装置。
【請求項３】
前記処理手段は、オペレータの操作に応じて、前記端末内の記憶領域に格納された複数のエフェクト画像データの１つを示すエフェクト画像識別子を前記複数の画像データの各々に関連付ける処理をさらに実行し、
前記送信手段は、前記複数の画像データの各々を当該画像データに関連付けられた効果音識別子および当該画像データに関連付けられたエフェクト画像識別子と共に前記端末に送信して前記複数の画像データの各々と前記複数の画像データの各々に対応する効果音データと前記複数の画像データの各々に対応するエフェクト画像データとを前記端末に再生させる請求項１記載の情報処理装置。
【請求項４】
前記処理手段は、オペレータの操作に応じて、電子カタログデータから複数の画像データを、前記複数の商品に対応する前記複数の画像データとして抽出する請求項１記載の情報処理装置。
【請求項５】
前記処理手段は、オペレータの操作に応じて、電子カタログデータから複数の画像データを、前記複数の商品に対応する前記複数の画像データとして抽出し、前記抽出された複数の画像データの各々に対して画質改善処理を施す、請求項１記載の情報処理装置。
【請求項６】
前記端末は、前記情報処理装置から受信した画像データを表示し、前記受信した画像データが表示されている間に、前記情報処理装置から受信した効果音識別子によって指定される効果音データを再生する、請求項１記載の情報処理装置。
【請求項７】
複数の商品に対応する複数の画像データを含むコンテンツデータを生成し、
オペレータの操作に応じて、前記複数の画像データの各々に、端末内の記憶領域に格納された複数の効果音データの１つを示す効果音識別子を関連付け、
前記複数の画像データの各々を当該画像データに関連付けられた効果音識別子と共に前記端末に送信して前記複数の画像データの各々と前記複数の画像データの各々に対応する効果音データとを前記端末に再生させる、画像データ送信方法。
【請求項８】
前記複数の商品は複数の食品であり、
前記複数の効果音データは複数種の調理音を表す複数の音データである、請求項７記載の画像データ送信方法。
【請求項９】
オペレータの操作に応じて、前記端末内の記憶領域に格納された複数のエフェクト画像データの１つを示すエフェクト画像識別子を前記複数の画像データの各々に関連付けることをさらに具備し、
前記送信することは、前記複数の画像データの各々を当該画像データに関連付けられた効果音識別子および当該画像データに関連付けられたエフェクト画像識別子と共に前記端末に送信して前記複数の画像データの各々と前記複数の画像データの各々に対応する効果音データと前記複数の画像データの各々に対応するエフェクト画像データとを前記端末に再生させることを含む、請求項７記載の画像データ送信方法。
【請求項１０】
コンピュータによって実行されるプログラムであって、
複数の商品に対応する複数の画像データを含むコンテンツデータを生成する手順と、
オペレータの操作に応じて、前記複数の画像データの各々に、端末内の記憶領域に格納された複数の効果音データの１つを示す効果音識別子を関連付ける手順と、
前記複数の画像データの各々を当該画像データに関連付けられた効果音識別子と共に前記端末に送信して前記複数の画像データの各々と前記複数の画像データの各々に対応する効果音データとを前記端末に再生させる手順とを前記コンピュータに実行させるためのプログラム。
【請求項１１】
前記複数の商品は複数の食品であり、
前記複数の効果音データは複数種の調理音を表す複数の音データである、請求項１０記載のプログラム。
【請求項１２】
オペレータの操作に応じて、前記端末内の記憶領域に格納された複数のエフェクト画像データの１つを示すエフェクト画像識別子を前記複数の画像データの各々に関連付ける手順を前記コンピュータにさらに実行させ、
前記送信する手順は、前記複数の画像データの各々を当該画像データに関連付けられた効果音識別子および当該画像データに関連付けられたエフェクト画像識別子と共に前記端末に送信して前記複数の画像データの各々と前記複数の画像データの各々に対応する効果音データと前記複数の画像データの各々に対応するエフェクト画像データとを前記端末に再生させる手順を含む、請求項１０記載のプログラム。
【発明の詳細な説明】
【技術分野】
【０００１】
本発明の実施形態は、画像を表示するための技術に関する。
【背景技術】
【０００２】
近年、電子カタログデータ（デジタルカタログデータ）を用いたオンラインショッピングが普及している。
【０００３】
ユーザは、電子カタログデータをパーソナルコンピュータ、タブレットコンピュータ、スマートフォンのようなコンピューティングデバイスにダウンロードすることによって、その電子カタログデータに含まれる商品の画像を閲覧することができる。
【先行技術文献】
【特許文献】
【０００４】
【特許文献１】特開平９−３０５３５９号公報
【発明の概要】
【発明が解決しようとする課題】
【０００５】
しかし、従来では、電子カタログデータに含まれる商品の画像の一覧がユーザに提示されるだけであった。
【０００６】
本発明の目的は、送信データ量の増加を抑制しつつ、商品の画像と追加の情報とを容易にユーザに提供することができる情報処理装置および画像データ送信方法を提供することを目的とする。
【課題を解決するための手段】
【０００７】
実施形態によれば、情報処理装置は、処理手段と、送信手段とを具備する。前記処理手段は、複数の商品に対応する複数の画像データを含むコンテンツデータを生成し、オペレータの操作に応じて、前記複数の画像データの各々に、端末内の記憶領域に格納された複数の効果音データの１つを示す効果音識別子を関連付ける処理を実行する。前記送信手段は、前記複数の画像データの各々を当該画像データに関連付けられた効果音識別子と共に前記端末に送信して前記複数の画像データの各々と前記複数の画像データの各々に対応する効果音データとを前記端末に再生させる。
【図面の簡単な説明】
【０００８】
【図１】実施形態に係る情報処理装置（カタログ配信サーバ）を含むシステムを説明する概念図。
【図２】同実施形態の情報処理装置からカタログダイジェストデータを受信するクライアントデバイスのシステム構成を示すブロック図。
【図３】同実施形態の情報処理装置によって生成されるカタログダイジェストデータのデータ構造の例と図２のクライアントデバイスによって実行されるカタログブラウザの機能構成とを示すブロック図。
【図４】図２のクライアントデバイスを操作するためのリモートコントローラの外観の例を示す図。
【図５】同実施形態の情報処理装置の機能構成を示すブロック図。
【図６】図２のクライアントデバイスによってＴＶに表示されるサービス選択画面とカタログ選択画面の例を示す図。
【図７】図２のクライアントデバイスによってＴＶに表示されるカタログ目次選択画面の例を示す図。
【図８】図２のクライアントデバイスによってＴＶに表示されるカタログダジェスト画面上における画像の遷移の例を示す図。
【図９】図２のクライアントデバイスによってＴＶに表示される商品詳細画面と注文確認画面の例を示す図。
【図１０】同実施形態の情報処理装置によって実行されるカタログダジェストデータ生成動作を説明するための図。
【図１１】同実施形態の情報処理装置において使用される電子カタログデータ（元データ）の例を示す図。
【図１２】同実施形態の情報処理装置によって生成される見開きデータの例を示す図。
【図１３】カタログダジェストデータに組み込むべき画像データを選択する動作を説明するための図。
【図１４】操作端末のディスプレイに表示される編集画面の例を示す図。
【図１５】各々が効果音と画像エフェクトとの組み合わせを含む幾つかのエフェクトセットの例を示す図。
【図１６】同実施形態の情報処理装置によって実行されるカタログダジェストデータ生成処理の手順を示すフローチャート。
【図１７】同実施形態の情報処理装置によって実行されるカタログダジェストデータ送信動作を説明するための図。
【図１８】図２のクライアントデバイスによって実行されるカタログダジェストデータ再生処理の手順を示すフローチャート。
【図１９】図２のクライアントデバイスの機能を含むＴＶ受信機のシステム構成を示すブロック図。
【発明を実施するための形態】
【０００９】
以下、実施の形態について図面を参照して説明する。  
まず、図１を参照して、一実施形態に係る情報処理装置を含むシステムを説明する。この情報処理装置は、予め選択された複数の商品に対応する複数の画像データ（カタログダイジェストデータ）を１以上の端末に送信するように構成されたカタログ配信サーバ２として実現されている。上述の端末の例は制限されないが、ここでは、クライアントデバイス１が、またはクライアントデバイス１とテレビジョン受信機３との組が上述の端末として機能する場合を想定する。
【００１０】
このクライアントデバイス１は、カタログ配信サーバ２から受信されるカタログダイジェストデータに含まれる複数の画像データをディスプレイ（ここではテレビジョン受信機３）に順次表示するように構成されたデバイスである。このクライアントデバイス１は、各種デバイスのＨＤＭＩ（登録商標）入力端子に取り外し可能に接続されるデバイスであるＨＤＭＩトングルであってもよい。クライアントデバイス１がＨＤＭＩトングルとして実現されている場合には、クライアントデバイス１は、テレビジョン受信機３のＨＤＭＩ入力端子３Ａに接続されてもよい。クライアントデバイス１が接続されたテレビジョン受信機３は、カタログダイジェストデータを表示することが出来る。
【００１１】
クライアントデバイス１は、３Ｇ移動通信のような無線ネットワーク通信機能を有しており、基地局１１およびインターネット１０を介してカタログ配信サーバ２との通信を行うことが出来る。さらに、クライアントデバイス１は、リモートコントローラ４から受信した遠隔操作情報（操作信号）に対応する動作を実行するように構成されている。
【００１２】
クライアントデバイス１は、リモートコントローラ４からカタログダイジェストデータの表示を要求する操作情報を受信したことに応じて、カタログダイジェストデータの送信をカタログ配信サーバ２に要求する。
【００１３】
このカタログダイジェストデータは、例えば、あるオンラインショッピング会社で扱われる多数の商品の画像を含む電子カタログデータ（オンラインカタログデータ）の特集版（ダイジェスト版）であってもよい。
【００１４】
この場合、カタログダイジェストデータに含まれる各商品に対応する画像データは、上述の電子カタログデータから抽出されたものであってもよい。そして、カタログ配信サーバ２は、電子カタログデータから抽出された各画像データをリサイズしてテレビジョン受信機３の画面に適した解像度を有する画像データに変換してもよい。カタログ配信サーバ２は、さらに、各画像データに対して画質を改善するための高画質化処理（画質改善処理）を施してもよい。
【００１５】
クライアントデバイス１は、カタログ配信サーバ２からカタログダイジェストデータ内の複数の画像データをダウンロードしながら、これら複数の画像データを順次再生する。この場合、表示されるべき画像データは、カタログダイジェストデータに含まれる複数の画像データ間で順番に変更される。例えば、最初の画像データがある一定時間（例えば１０秒程度）だけ表示されると、表示されるべき画像データは次の画像データに自動的に変更される。カタログ配信サーバ２からの次の画像データのダウンロードは、最初の画像データが表示されている間に完了されればよい。
【００１６】
ユーザは、表示されるべき画像データを変更するための操作を何ら行うこと無く、カタログダイジェストデータ内に含まれる複数の商品の画像を順番に閲覧することができる。さらに、ユーザは、リモートコントローラ４を用いた操作により、希望の商品の購入をクライアントデバイス１に指示することができる。購入が決定された商品の商品番号はクライアントデバイス１からカタログ配信サーバ２を介してオンラインショッピングサーバ５に送られても良い。オンラインショッピングサーバ５はオンラインショッピング会社のサーバであり、オンラインショッピングのための各種処理を実行することができる。
【００１７】
カタログ配信サーバ２は、上述のカタログダイジェストデータだけでなく、カタログダイジェストデータ内の各画像データが抽出された元の電子カタログデータ（オリジナルカタログデータ）もクライアントデバイス１に送信してもよい。ユーザは、リモートコントローラ４を操作することによって、所望のタイプのカタログデータ（カタログダイジェストデータまたはオリジナルカタログデータ）をカタログ配信サーバ２に要求することができる。
【００１８】
図２は、クライアントデバイス１のシステム構成の例を示す。  
クライアントデバイス１は、図２に示されるように、ＣＰＵ１０１、システムコントローラ１０２、主メモリ１０３、グラフィクスコントローラ１０４、ＢＩＯＳ−ＲＯＭ１０５、不揮発性メモリ１０６、無線通信デバイス１０７、エンベデッドコントローラ（ＥＣ）１０８、サウンドコントローラ１０９、ＨＤＭＩ制御回路１１０、インタフェース１１１、等を備える。
【００１９】
ＣＰＵ１０１は、クライアントデバイス１内の各種コンポーネントの動作を制御するプロセッサである。ＣＰＵ１０１は、ストレージデバイスである不揮発性メモリ１０６から主メモリ１０３にロードされる各種プログラムを実行する。これらプログラムには、オペレーティングシステム（ＯＳ）１０３Ａ、及び各種アプリケーションプログラムが含まれている。アプリケーションプログラムにはカタログブラウザ１０３Ｂが含まれている。このカタログブラウザ１０３Ｂは、カタログダイジェストデータに含まれる画像データ等の表示を制御する表示制御機能を有する。
【００２０】
また、ＣＰＵ１０１は、ＢＩＯＳ−ＲＯＭ１０５に格納された基本入出力システム（ＢＩＯＳ）も実行する。ＢＩＯＳは、ハードウェア制御のためのプログラムである。
【００２１】
システムコントローラ１０２は、ＣＰＵ１０１のローカルバスと各種コンポーネントとの間を接続するデバイスである。システムコントローラ１０２には、主メモリ１０３をアクセス制御するメモリコントローラも内蔵されている。また、システムコントローラ１０２は、ＰＣＩ  ＥＸＰＲＥＳＳ規格のシリアルバスなどを介してグラフィクスコントローラ１０４との通信を実行する機能も有している。
【００２２】
グラフィクスコントローラ１０４は、ＨＤＭＩ制御回路１１０及びＨＤＭＩ端子１１０Ａを介して、外部ディスプレイ（例えば、テレビジョン受信機３）にデジタル映像信号を送出する。サウンドコントローラ１０９は、ＨＤＭＩ制御回路１１０及びＨＤＭＩ端子１１０Ａを介して、外部ディスプレイにデジタルオーディオ信号を送出する。ＨＤＭＩ端子１１０Ａは、非圧縮のデジタル映像信号とデジタルオーディオ信号とを１本のケーブルでテレビジョン受信機３のような外部ディスプレイに送出することができる。ＨＤＭＩ制御回路１１０は、外部映像機器にデジタル映像信号及びデジタルオーディオ信号をＨＤＭＩ端子１１０Ａを介して送出するためのインタフェースである。
【００２３】
無線通信デバイス１０７は、３Ｇ移動通信等の無線通信を実行するように構成されたデバイスである。
【００２４】
インタフェース１１１は、外部電子機器（例えば、リモートコントローラ４）からの信号を受信するための受信部として機能する。インタフェース１１１は、赤外線受信部であってもよいし、あるいはＢｌｕｅｔｏｏｔｈ（登録商標）規格に基づく無線通信を実行するデバイスであってもよい。
【００２５】
不揮発性メモリ１０６には、上述のプログラム群に加え、複数の効果音データと複数のエフェクト画像データとが格納されている。これら効果音データとエフェクト画像データは、カタログダイジェストデータ内の各商品の画像にシズル感を与えることによってユーザに各商品を魅力的に提示するための追加の情報として使用される。カタログダイジェストデータ内の各画像データに付加された識別子に基づき、個々の画像データに適用されるべき追加のコンテンツ（効果音データ、エフェクト画像データ）が決定される。効果音データはクライアントデバイス１によって再生され、この効果音データに対応する音がテレビジョン受信機３のスピーカから出力される。エフェクト画像データは、クライアントデバイス１によって、対応する商品の画像データと合成され、この合成によって得られる画像（合成画像）がテレビジョン受信機３のディスプレイに表示される。
【００２６】
不揮発性メモリ１０６に予め格納される効果音データの種類およびエフェクト画像データの種類は限定されないが、例えば、幾つかの種類の食品に適した複数の効果音データとこれら幾つかの種類の食品に適した複数のエフェクト画像データとが不揮発性メモリ１０６に予め格納されていても良い。
【００２７】
これら複数の効果音データは、複数種の調理音を表す複数の音データであってもよい。調理音は、食品を調理している時に発生する音である。例えば、鍋物に関しては「グツグツ」という効果音データを予め用意してもよい。さらに、肉料理等に関しては「ジュージュー」という効果音データを予め用意してもよい。またさらに、飲み物に関しては「シュワー」という効果音データや、飲み物をグラスにつぐときに発生する音を表す効果音データ等を予め用意してもよい。
【００２８】
複数のエフェクト画像データの例には、例えば、湯気または煙を表すためのエフェクト画像データ、水滴を表すためのエフェクト画像データ、水しぶきを表すためのエフェクト画像データ等がある。
【００２９】
次に、図３を参照して、カタログダイジェストデータのデータ構造の例とカタログブラウザ１０３Ｂの機能構成の例とを説明する。
【００３０】
カタログ配信サーバ２のカタログデータベース２１には、カタログ配信サーバ２によって作成されたカタログダイジェストデータが格納される。カタログダイジェストデータは、複数の商品に対応する複数の画像データ（ここでは、画像データ＃１、画像データ＃２、画像データ＃３、…画像データ＃Ｎ）を含む。
【００３１】
各画像データ（各商品画像）は、商品の写真であってもよいし、商品の写真とその商品に関する説明（例えば商品名、価格、広告メッセージなど）とを含んでいても良い。これら各画像データは、上述したように、オリジナルカタログデータからある商品の画像を抽出することによって得ることができる。
【００３２】
カタログダイジェストデータにおいては、各画像データには、エフェクトＩＤ、効果音ＩＤ、およびコメントが予め関連付けられている。
【００３３】
エフェクトＩＤは、クライアントデバイス１において生成可能な複数のエフェクト画像の１つを示すエフェクト画像識別子である。すなわち、このエフェクトＩＤは、クライアントデバイス１のエフェクト画像データベース１０６Ａに格納されている複数のエフェクト画像データの１つを示す。エフェクト画像データベース１０６Ａは不揮発性メモリ１０６内の記憶領域である。このエフェクトＩＤによって示されるエフェクト画像データは、このエフェクトＩＤに関連付けられた画像データ（商品画像）上に重ねて表示されるべきエフェクト画像データとして使用される。
【００３４】
効果音ＩＤは、クライアントデバイス１において再生可能な効果音の１つを示す効果音識別子である。すなわち、この効果音ＩＤは、クライアントデバイス１の効果音データベース１０６Ｂに格納されている複数の効果音データの１つを示す。効果音データベース１０６Ｂは不揮発性メモリ１０６内の記憶領域である。この効果音ＩＤによって示される効果音データは、この効果音ＩＤに関連付けられた画像データ（商品画像）が表示されている間に再生されるべき効果音データとして使用される。
【００３５】
コメントは、このコメントに関連付けられた画像データ（商品画像）と一緒に表示されるべき追加のメッセージ（テキスト）である。
【００３６】
カタログ配信サーバ２は、カタログダイジェストデータ内の画像データ＃１、画像データ＃２、画像データ＃３、…画像データ＃Ｎの各々を、当該画面データに関連付けられたエフェクトＩＤ、効果音ＩＤ、およびコメントと共にクライアントデバイス１に送信する。換言すれば、各々にエフェクトＩＤ、効果音ＩＤ、およびコメントが付加された複数の画像データがクライアントデバイス１に順次送信される。
【００３７】
クライアントデバイス１のカタログブラウザ１０３Ｂは、操作情報受信部２０１、データ要求部２０２、データ受信部２０３、処理部２０４、および効果音再生部２０５等を備える。
【００３８】
まず、操作情報受信部２０１は、リモートコントローラ４から操作情報を受信し、当該操作情報をデータ要求部２０２に出力する。データ要求部２０２は、操作情報に応じた画面の表示に必要なデータをカタログ配信サーバ２に要求する。データ受信部２０３は、カタログ配信サーバ２からデータを受信する。
【００３９】
処理部２０４は、カタログ配信サーバ２から受信されるオリジナルカタログデータを表示するための処理またはカタログ配信サーバ２から受信されるカタログダイジェストデータを表示するための処理を実行する。以下に、カタログダイジェストデータ内の画像データ＃１を表示するための処理について説明する。
【００４０】
データ受信部２０３によって受信される画像データ＃１は表示制御部２０４Ａに送られる。表示制御部２０４Ａは、画像データ＃１に対応する画像信号を生成し、この画像信号を合成部２０４Ｄに送る。画像データ＃１に付加されたエフェクトＩＤは、データ受信部２０３からエフェクト処理部２０４Ｂに送られる。エフェクト処理部２０４Ｂは、エフェクトＩＤによって指定されるエフェクト画像データをエフェクト画像データベース１０６Ａから読み出す。そして、エフェクト処理部２０４Ｂは、読み出したエフェクト画像データに対応する画像信号を合成部２０４Ｄに送る。画像データ＃１に付加されたコメントは、データ受信部２０３からコメント処理部２０４Ｃに送られる。コメント処理部２０４Ｃは、このコメントに対応する画像信号を合成部２０４Ｄに送る。
【００４１】
合成部２０４Ｄは、画像データ＃１に対応する画像とエフェクト画像データに対応する画像とコメント（テキスト）とを合成し、これによって表示対象の画面イメージを生成する。この画面イメージにおいては、コメントは、画像データ＃１に対応する画像の表示領域にオーバーラップしない領域に表示される。
【００４２】
一方、エフェクト画像データに対応する画像は、画像データ＃１に対応する画像上に重ねられる。つまり、エフェクト画像データに対応する画像は、画像データ＃１に対応する画像が表示される領域にオーバーラップする領域に表示される。エフェクトＩＤは、エフェクト画像データの表示位置を指定する位置情報を含んでいても良い。この場合、合成部２０４Ｄは、画像データ＃１の画像上のこの表示位置にエフェクト画像データの画像が表示されるように、画像データ＃１の画像とエフェクト画像データの画像とを合成する。合成部２０４Ｄによって生成される画面イメージに対応する映像信号は、テレビジョン受信機３に送られる。
【００４３】
画像データ＃１に付加された効果音ＩＤは、データ受信部２０３から効果音再生部２０５に送られる。効果音再生部２０５は、効果音ＩＤによって指定される効果音データを効果音データベース１０６Ｂから読み出す。そして、効果音再生部２０５は、読み出した効果音データに対応するオーディオ信号を生成する。このオーディオ信号はテレビジョン受信機３に送られる。
【００４４】
このように、本実施形態では、効果音データおよびエフェクト画像データそのものがカタログ配信サーバ２からクライアントデバイス１に送信されるのでは無く、効果音ＩＤおよびエフェクトＩＤがカタログ配信サーバ２からクライアントデバイス１に送信される。複数の効果音データおよび複数のエフェクト画像データがクライアントデバイス１内に用意されており、効果音ＩＤおよびエフェクトＩＤによって指定される効果音データおよびエフェクト画像データがクライアントデバイス１によって再生される。したがって、クライアントデバイス１に送信されるべきデータ量の増加を招くこと無く、各商品の画像と追加の情報とをユーザに提示することができる。
【００４５】
上述の説明では、カタログダイジェストデータ内の各画像データにエフェクトＩＤ、効果音ＩＤ、及びコメントが関連付けられている場合を説明したが、カタログダイジェストデータ内の各画像データに効果音ＩＤだけが関連付けられていてもよい。
【００４６】
また、各画像データは、ＨＴＭＬのようなマークアップ言語で記述されたデータ（ＨＴＭＬデータ）に組み込まれていても良い。この場合、このＨＴＭＬデータには、画像データに加え、エフェクトＩＤと、効果音ＩＤと、コメントとが含まれていても良い。
【００４７】
図４は、リモートコントローラ４のリモコンボタン群を示す。  
リモートコントローラ４は、図４に示すように、リモコンボタン４１〜５９を備える。これらボタン４１〜５９には、「訂正」ボタン４１、「スター」ボタン４２、「メニュー」ボタン４３、「戻る」ボタン４４、数字１〜数字３に対応する数字ボタン４５〜４７、「注文確認」ボタン４８、数字４〜数字６に対応する数字ボタン４９〜５１、「音声入力」ボタン５２、数字７〜数字９に対応する数字ボタン５３〜５５、「決定」ボタン５６、零に対応する数字ボタン５７、「左矢印」ボタン５８、「右矢印」ボタン５９を含む。
【００４８】
「訂正」ボタン４１は、入力した番号などの訂正を指示するボタンである。「スター」ボタン４２は、ブックマークなどの表示を指示するためのボタンである。「メニュー」ボタン４３は、メニュー画面の表示を指示するためのボタンである。「注文確認」ボタン４８は、注文した商品の一覧の表示を指示するためのボタンである。「音声入力」ボタン５２は音声入力モードへの移行を指示するためのボタンである。
【００４９】
図５は、カタログ配信サーバ２の機能構成を示す。  
カタログ配信サーバ２は、上述のカタログデータベース２１に加え、カタログダイジェストデータ作成部２２および送信部２３を備える。
【００５０】
カタログダイジェストデータ作成部２２は、上述のカタログダイジェストデータを生成するための処理部として機能する。カタログダイジェストデータ作成部２２は、複数の商品に対応する複数の画像データを含むコンテンツデータであるカタログダイジェストデータを生成する。さらに、カタログダイジェストデータ作成部２２は、オペレータの操作に応じて、これら複数の画像データの各々に効果音ＩＤおよびエフェクトＩＤを関連付けるための処理を実行する。
【００５１】
すなわち、カタログダイジェストデータ作成部２２は、画像抽出機能、エフェクトＩＤ設定機能、効果音ＩＤ設定機能を有する。画像抽出機能は、オリジナルカタログデータから幾つかの商品に関する画像を抽出（切り取り）する機能である。エフェクトＩＤ設定機能および効果音ＩＤ設定機能は、抽出された各画像データにエフェクトＩＤおよび効果音ＩＤを関連付けるための機能である。
【００５２】
送信部２３は、カタログダイジェストデータ内の複数の画像データの各々を当該画像データに関連付けられたエフェクトＩＤ、効果音ＩＤ、コメントと共にクライアントデバイス１に送信して複数の画像データの各々とこれら複数の画像データの各々に対応する追加データ（エフェクト画像データ、効果音データ、コメント）とをクライアントデバイス１に再生させる。
【００５３】
すなわち、クライアントデバイス１から最初の画像データ要求が受信された時、送信部２３は、カタログダイジェストデータ内の画像データ＃１を、この画像データ＃１に関連付けられたエフェクトＩＤ、効果音ＩＤ、コメントと共にクライアントデバイス１に送信する。これにより、画像データ＃１と、エフェクトＩＤに対応するエフェクト画像データと、効果音ＩＤに対応する効果音データと、コメントとを再生すべきことがクライアントデバイス１に指示される。
【００５４】
クライアントデバイス１から次の画像データ要求が受信された時、送信部２３は、カタログダイジェストデータ内の画像データ＃２を、この画像データ＃２に関連付けられたエフェクトＩＤ、効果音ＩＤ、コメントと共にクライアントデバイス１に送信する。これにより、画像データ＃２と、エフェクトＩＤに対応するエフェクト画像データと、効果音ＩＤに対応する効果音データと、コメントとを再生すべきことがクライアントデバイス１に指示される。
【００５５】
上述のカタログダイジェストデータ作成部２２および送信部２３の機能は、カタログ配信サーバ２内のプロセッサによって実行されるコンピュータプログラムによって実現しても良い。
【００５６】
図６は、クライアントデバイス１によってテレビジョン受信機３に表示される、サービス選択画面とカタログ選択画面の例を示す図。  
図６の上部に示すサービス選択画面の背景５３上には、リモコンボタンガイド５１、操作ガイドメッセージ５２、サービス選択項目６１〜６６が表示される。サービス選択項目６１〜６６にはリモートコントローラ４の「１」ボタン〜「６」ボタンが割り当てられている。サービス選択項目６１はカタログを閲覧するためのサービス（例えば、カタログを利用したオンラインショッピングのためのサービス）の実行を指示するための項目である。サービス選択項目６２〜６６は他のサービスの実行を指示するための項目である。
【００５７】
リモコンボタンガイド５１は、図４で説明したリモートコントローラ４の複数のリモコンボタンに対応する複数のボタンを表示する。リモコンボタンガイド５１においては、これら複数のボタンはリモートコントローラ４の複数のリモコンボタンと同じレイアウトで配置されている。さらに、リモコンボタンガイド５１においては、利用可能なリモコンボタンは特定の色（例えばオレンジ）で表示され、利用できないリモコンボタンは別の特定の色（例えば黒）で表示される。これにより、カタログダイジェストデータのようなカタログを閲覧するために必要なリモートコントローラ４に関する操作をユーザに分かりやすくガイドすることができる。図６では、オレンジ色のボタン（利用可能なリモコンボタン）はハッチングによって示されている。
【００５８】
操作ガイドメッセージ５２は、現在表示されている画面に対応する操作方法をユーザに提示するためのテキストである。
【００５９】
このサービス選択画面の画面イメージはカタログ配信サーバ２によってクライアントデバイス１に提供されても良い。
【００６０】
リモートコントローラ４の「１」ボタンがユーザによって押下されると、クライアントデバイス１は、図６の下部に示すカタログ選択画面を表示する。このカタログ選択画面の画面イメージもカタログ配信サーバ２によってクライアントデバイス１に提供されても良い。
【００６１】
カタログ選択画面の背景５３上には、上述のリモコンボタンガイド５１および操作ガイドメッセージ５２と、閲覧可能なカタログにそれぞれ対応するカタログサムネイル７１〜７３が表示される。ユーザは、リモートコントローラ４の「左矢印」ボタン５８または「右矢印」ボタン５９を押下することによって、所望のカタログサムネイルを選択することができる。選択されているカタログサムネイルは他のカタログサムネイルよりも大きなサイズで表示される。
【００６２】
あるカタログサムネイルが選択されている状態でリモートコントローラ４の「決定」ボタン５６が押下されると、クライアントデバイス１は、選択されているカタログサムネイルに対応するカタログを選択する。そして、クライアントデバイス１は、図７に示すように、選択されたカタログに対応するカタログ目次選択画面を表示する。このカタログ目次選択画面の画面イメージもカタログ配信サーバ２によってクライアントデバイス１に提供されても良い。
【００６３】
カタログ目次選択画面の背景５３上には、上述のリモコンボタンガイド５１および操作ガイドメッセージ５２と、選択されたカタログの特集版（ダイジェスト）を閲覧するための項目８１と、選択されたカタログ内の幾つかの見出しページにジャンプするための項目８２〜８６とが表示される。
【００６４】
項目８１に対応するリモートコントローラ４の「１」ボタン４５が押下されると、クライアントデバイス１は、選択されているカタログに対応するカタログダイジェストデータ内の最初の画像データの送信をカタログ配信サーバ２に要求する。そして、クライアントデバイス１は、カタログダジェスト画面の表示を開始する。
【００６５】
図８は、カタログダジェスト画面上における画像の遷移の例を示す。ここでは、カタログダイジェストデータが画像データ＃１、画像データ＃２、画像データ＃３を含む場合を想定する。
【００６６】
図８の上部は画像データ＃１に対応する画像を表示するカタログダジェスト画面を示す。このカタログダジェスト画面の背景５３上には、上述のリモコンボタンガイド５１および操作ガイドメッセージ５２と、画像データ＃１に対応する画像９１と、画像データ＃１に対応するコメント９１Ａとが表示される。コメント９１Ａは、画像データ＃１に関連付けられたコメントである。
【００６７】
画像９１上には、エフェクト画像が表示される。このエフェクト画像は、画像データ＃１に関連付けられたエフェクトＩＤに対応するエフェクト画像データを再生することによって得られる。ここでは、画像データ＃１が鍋料理（例えばスープ）の食品の画像であり、この画像データ＃１に、湯気を表すエフェクト画像データを示すエフェクトＩＤが関連付けられていた場合が想定されている。
【００６８】
クライアントデバイス１においては、このエフェクトＩＤに対応するエフェクト画像データがエフェクト画像データベース１０６Ａから読み出される。そして、このエフェクト画像データに対応する画像と画像データ＃１に対応する画像とが合成され、この合成画像がカタログダジェスト画面上に表示される。このエフェクト画像データは静止画像であってもよいし、動画像であってもよい。
【００６９】
このように、エフェクト画像データはクライアントデバイス１において再生される。このため、湯気を表すエフェクト画像が表示されることが可能な領域は画像データ＃１上の領域に限定されない。例えば、湯気を表すエフェクト画像が、画像データ＃１に対応する領域と背景５３に対応する領域の双方に重なる領域上に表示されても良い。
【００７０】
画像データ＃１に対応する画像９１は例えば１０秒程度継続して表示される。画像９１が表示されている間、効果音が再生され続ける。この効果音は、画像データ＃１に関連付けられた効果音ＩＤによって指定される。例えば、鍋料理（例えばスープ）の調理音である「グツグツ」という音が効果音として再生される。すなわち、クライアントデバイス１においては、この効果音ＩＤに対応する効果音データが効果音データベース１０６Ｂから読み出される。そして、この効果音データに対応する効果音が自動的に再生される。
【００７１】
効果音に加え、さらに、ある音楽などを再生しても良い。さらに、画像データ＃１に対応する商品を説明する音声メッセージを再生しても良い。
【００７２】
再生すべき音楽データは、効果音データと同様に、クライアントデバイス１に予め格納されていても良い。この場合、カタログ配信サーバ２は、この音楽データを示すＩＤを画像データ＃１に関連付けられた上述の追加データの一部としてクライアントデバイス１に送信すれば良い。
【００７３】
なお、エフェクト画像とコメント９１Ａとを除く図８の画面イメージ全体がカタログ配信サーバ２によってクライアントデバイス１に提供されても良い。
【００７４】
画像データ＃１に対応する画像９１が１０秒程度表示されると、カタログダジェスト画面上に表示されるべき商品の画像は、図８の中部に示すように、画像データ＃１に対応する画像から画像データ＃２に対応する画像に自動的に切り換えられる。
【００７５】
図８の中部のカタログダジェスト画面上においては、画像データ＃２に対応する画像９２と、コメント９２Ａとが表示される。コメント９２Ａは、画像データ＃２に関連付けられたコメントである。画像９２上には、エフェクト画像が表示される。このエフェクト画像は、画像データ＃２に関連付けられたエフェクトＩＤに対応するエフェクト画像データを再生することによって得られる。ここでは、画像データ＃２が飲物（ビール）の画像であり、この画像データ＃２に水滴を表すエフェクト画像データを示すエフェクトＩＤが関連付けられていた場合が想定されている。このエフェクト画像データは静止画像であってもよいし、動画像であってもよい。エフェクトＩＤは、水滴を表すエフェクト画像の表示位置を指定する位置情報を含んでいても良い。これにより、水滴を表すエフェクト画像をビールの画像上に表示することができる。
【００７６】
画像データ＃２に対応する画像９２は例えば１０秒程度継続して表示される。画像９２が表示されている間、効果音が再生され続ける。この効果音は、画像データ＃２に関連付けられた効果音ＩＤによって指定される。例えば、「シュワー」という音が効果音として再生される。
【００７７】
画像データ＃２に対応する画像９２が１０秒程度表示されると、カタログダジェスト画面上に表示されるべき商品の画像は、図８の下部に示すように、画像データ＃２に対応する画像から画像データ＃３に対応する画像に自動的に切り換えられる。
【００７８】
図８の下部のカタログダジェスト画面上においては、画像データ＃３に対応する画像９３と、コメント９３Ａとが表示される。コメント９３Ａは、画像データ＃３に関連付けられたコメントである。画像９３上には、エフェクト画像が表示される。このエフェクト画像は、画像データ＃３に関連付けられたエフェクトＩＤに対応するエフェクト画像データを再生することによって得られる。ここでは、画像データ＃３が肉料理（例えばステーキ）の食品の画像であり、この画像データ＃３に湯気や煙を表すエフェクト画像データを示すエフェクトＩＤが関連付けられていた場合が想定されている。このエフェクト画像データは静止画像であってもよいし、動画像であってもよい。画像データ＃３に対応する画像９３は例えば１０秒程度継続して表示される。画像９３が表示されている間、効果音が再生され続ける。この効果音は、画像データ＃３に関連付けられた効果音ＩＤによって指定される。たとえば、肉料理（例えばステーキ）の調理音である「ジュージュー」という音が効果音として再生される。
【００７９】
図９は、クライアントデバイス１によって表示される商品詳細画面と注文確認画面の例を示す。
【００８０】
図９の上部は商品詳細画面を示す。例えば、図８の中部に示す画像９２が表示されている状態でリモートコントローラ４の「決定」ボタン５６が押下されると、図９の上部に示すように、画像データ＃２に対応する商品（ビール）を購入（注文）するための商品詳細情報９４が表示される。すなわち、画像データ＃２に対応する商品番号がクライアントデバイス１からカタログ配信サーバ２に送られ、そしてカタログ配信サーバ２からクライアントデバイス１に商品詳細情報９４が送られる。もちろん、図９の上部に示す画面イメージ全体がカタログ配信サーバ２からクライアントデバイス１に送られてもよい。ユーザは、リモートコントローラ４のいずれかの数字ボタンを押下することによって、注文数量を入力することが出来る。注文数量が入力されると、クライアントデバイス１は、画像データ＃２に対応する商品番号と、注文数量とをカタログ配信サーバ２に送る。カタログ配信サーバ２は、画像データ＃２に対応する商品番号と、注文数量とをオンラインショッピングサーバ５に送る。
【００８１】
リモートコントローラ４の「注文確認」ボタン４８が押下されると、図９の下部に示すように、注文確認画面（注文書画面）が表示される。注文確認画面には、注文された個々の商品に関する金額および注文数量が表示される。例えば、画像データ＃１に対応する商品と画像データ＃２に対応する商品とが注文されている場合には、画像データ＃１に対応する商品に関する金額および注文数量を示す注文情報９５と、画像データ＃２に対応する商品に関する金額および注文数量を示す注文情報９６とが表示される。さらに、注文確認画面には、合計金額も表示される。
【００８２】
図１０は、カタログ配信サーバ２によって実行されるカタログダジェストデータ生成動作を示す。  
カタログ配信サーバ２は、ＪＰＥＧ／ＢＭＰ変換処理部４０１、ノイズ除去部４０２、見開き画像生成部４０３、画像抽出部４０４、スケーラ４０５、効果音ＩＤ追加部４０６、エフェクト追加部４０７、コメント追加部４０８、高画質化処理部４０９、ＢＭＰ／ＪＰＥＧ変換部４１０およびエンコーダ４１１を備える。これらはカタログダジェストデータを生成するために使用される。カタログダジェストデータを生成する処理においては、電子カタログデータ（オリジナルカタログデータ）から抽出すべき画像データを選択する操作や、各画像データに関連付けるべき効果音／画像エフェクトを選択する操作がオペレータによって実行される。オペレータは、操作端末６上で実行されるツール６Ａを使用することによって、これら操作を行うことができる。ツール６Ａは、カタログ配信サーバ２と連携する機能を有するコンピュータプログラムである。操作端末６は、カタログ配信サーバ２に接続された端末であってもよいし、オンラインショッピングサーバ５に接続された端末であっても良い。
【００８３】
電子カタログデータ（オリジナルカタログデータ）は、例えば、オンラインショッピングサーバ５からカタログ配信サーバ２に送られる。この電子カタログデータは、図１１に示すように、複数ページ、例えば６０ページ、から構成される。各ページは複数の商品に対応する複数の画像を含む。各ページのデータはＪＰＥＧファイルであってもよい。各ＪＰＥＧファイルは、図１０のＪＰＥＧ／ＢＭＰ変換処理部４０１によってビットマップ（ＢＭＰ）データに変換される。ビットマップデータはノイズ除去部４０２に送られる。ノイズ除去部４０２は、ビットマップデータからノイズを除去するための処理を実行する。ノイズ除去部４０２は、また、コントラスト補正、色補正等の処理をビットマップデータに施す。
【００８４】
この後、ビットマップデータは見開き画像生成部４０３に送られる。見開き画像生成部４０３は、図１２に示すような見開き形式のカタログデータを生成する。この見開き形式のカタログデータにおいては、例えば、図１１のページ２，３が統合され、同様に、図１１のページ４，５も統合される。見開き形式のカタログデータはデータベース４２１に格納される。
【００８５】
操作端末６のツール６Ａは、データベース４２１に格納された見開き形式のカタログデータを操作端末６の編集画面上に表示することができる。オペレータは、表示された見開き形式のカタログデータから幾つかの画像データを選択することができる。図１３は操作端末６の編集画面上に表示された見開き形式のカタログデータを示す。図１３において、太枠で囲まれた画像はオペレータによって選択された画像を表している。
【００８６】
図１０に示されている画像抽出部４０４は、オペレータの操作に応じて、電子カタログデータ（ここでは見開き形式のカタログデータ）から複数の画像データを、カタログダイジェストデータに掲載すべき画像データとして抽出する。つまり、オペレータの選択操作によって選択された各画像データが見開き形式のカタログデータから抽出される。抽出された各画像データはスケーラ４０５に送られる。スケーラ４０５は抽出された各画像データをリサイズして所定のサイズの画像データに変換する。これにより、選択された複数の画像データを含むカタログダイジェストデータが生成される。このカタログダイジェストデータはデータベース４２２に格納される。
【００８７】
なお、以上の説明では、オリジナルカタログデータから見開き形式のカタログデータを生成し、この見開き形式のカタログデータから幾つかの画像データを抽出することによってカタログダイジェストデータを生成する場合を説明したが、オリジナルカタログデータから幾つかの画像データを抽出することによってカタログダイジェストデータを生成するようにしてもよい。
【００８８】
操作端末６のツール６Ａは、データベース４２２に格納されたカタログダイジェストデータを操作端末６の編集画面上に表示することができる。オペレータは、カタログダイジェストデータ内の各画像データに追加すべき画像エフェクト、効果音、コメント等を指定することができる。
【００８９】
効果音ＩＤ追加部４０６は、オペレータの操作に応じて、カタログダイジェストデータ内の各画像データに効果音ＩＤを関連付ける。エフェクトＩＤ追加部４０７は、オペレータの操作に応じて、カタログダイジェストデータ内の各画像データにエフェクトＩＤを関連付ける。コメント追加部４０８は、オペレータの操作に応じて、カタログダイジェストデータ内の各画像データにコメントを関連付ける。
【００９０】
高画質化処理部４０９は、カタログダイジェストデータ内の各画像データに対して画質改善処理（画質改善処理）を施す。画質改善処理では、画像の色、画像の輝度、および画像の質感等を復元するための処理が実行される。
【００９１】
ＢＭＰ／ＪＰＥＧ変換部４１０は、画質改善された各画像データをＢＭＰデータ形式からＪＰＥＧデータ形式に変換する。エンコーダ４１１は、ＪＰＥＧデータ形式の各画像データを圧縮符号化する。
【００９２】
このように、本実施形態では、電子カタログデータから抽出される各商品の画像データに高画質化処理、エフェクト効果（エフェクト画像）、調理音のような効果音が追加されるため、商品のシズル感を演出することができる。この結果、商品の購入意欲を向上させることが可能となる。
【００９３】
またエフェクト画像データおよび効果音テータはクライアントデバイス１内に格納されている。このため、エフェクト画像データおよび効果音テータをクライアントデバイス１に送信する必要が無いので、送信データ量の増加を招くこともない。よって、たとえユーザの通信ネットワーク環境の帯域幅が狭い場合であっても、商品の画像と追加の情報とを容易にユーザに提供することができる。
【００９４】
さらに、カタログダイジェストデータ内の複数の商品の画像は自動で連続的に再生される。したがって、ユーザは、表示対象の画像を手動で切り替えることなく、カタログダイジェストデータ内の複数の商品の画像を容易に閲覧することができる。さらに、カタログダイジェストデータ内の各商品の画像のサイズはカタログダジェスト画面のサイズに最適化されているので、ユーザに各商品の画像を見やすく提示することができる。
【００９５】
図１４は、操作端末６のディスプレイに表示される編集画面を示す。  
この編集画面５００は、画像表示領域５０１、コメント入力領域５０２、左矢印ボタン４０３、右矢印ボタン５０４、効果音プルダウンメニュー５０５、画像エフェクトプルダウンメニュー５０６、エフェクトセットプルダウンメニュー５０７を表示する。
【００９６】
画像表示領域５０１はカタログダイジェストデータ内の任意の画像データを表示するための領域である。オペレータは、左矢印ボタン４０３または右矢印ボタン５０４をクリックすることによって、画像表示領域５０１に表示されるべき画像データを前の画像データまたは次の画像データに変更することができる。コメント入力領域５０２は、画像表示領域５０１に現在表示されている画像データに付加すべきコメントを入力するための領域である。
【００９７】
効果音プルダウンメニュー５０５は、クライアントデバイス１に格納されている複数の効果音の１つを選択するためのユーザインタフェースである。効果音プルダウンメニュー５０５がクリックされると、使用可能な効果音の一覧が表示される。オペレータは、画像表示領域５０１に現在表示されている画像データに付加すべき効果音をこの効果音の一覧から選択することができる。
【００９８】
画像エフェクトプルダウンメニュー５０６は、クライアントデバイス１に格納されている複数のエフェクト画像の１つを選択するためのユーザインタフェースである。画像エフェクトプルダウンメニュー５０６がクリックされると、使用可能なエフェクト画像の一覧が表示される。オペレータは、画像表示領域５０１に現在表示されている画像データに付加すべきエフェクト画像をこのエフェクト画像の一覧から選択することができる。
【００９９】
エフェクトセットプルダウンメニュー５０７は、各々が効果音とエフェクト画像との組み合わせを示す複数のエフェクトセットの１つを選択するためのユーザインタフェースである。複数のエフェクトセットは食品の種類にそれぞれ対応している。例えば、鍋物に対応するエフェクトセットは、「グツグツ」という効果音と、湯気を表すエフェクト画像との組み合わせを示す。肉に対応するエフェクトセットは、「ジュージュー」という効果音と、湯気／煙を表すエフェクト画像との組み合わせを示す。飲物に対応するエフェクトセットは、泡の音「シュワー」という効果音と、水滴を表すエフェクト画像との組み合わせを示す。エフェクトセットプルダウンメニュー５０７がクリックされると、図１５に示すように、使用可能なエフェクトセットの一覧が表示される。オペレータは、画像表示領域５０１に現在表示されている画像データに付加すべき効果音とエフェクト画像の組み合わせをこのエフェクトセットの一覧から選択することができる。
【０１００】
本実施形態では、この編集画面５００上で行われるオペレータの操作に応じて、各画像データに効果音ＩＤ、エフェクトＩＤ、およびコメントを関連付けることが出来る。よって、オペレータは、各画像データと一緒に再生したい追加情報を容易にカタログダイジェストデータに設定することができる。
【０１０１】
図１６のフローチャートは、カタログ配信サーバ２によって実行されるカタログダジェストデータ生成処理の手順を示す。  
カタログ配信サーバ２は、オペレータの操作に応じて電子カタログデータから幾つかの商品に対応する画像データを抽出し、これによってこれら抽出された幾つかの画像データを含むカタログダイジェストデータを生成する（ステップＳ１１）。カタログ配信サーバ２は、オペレータの操作に応じてカタログダイジェストデータ内の各画像データにエフェクトＩＤと効果音ＩＤとを追加し、これによってこれらエフェクトＩＤと効果音ＩＤを各画像データに関連付ける（ステップＳ１２、Ｓ１３）。カタログ配信サーバ２は、カタログダイジェストデータ内の各画像データに高画質化処理を施す（ステップＳ１４）。
【０１０２】
カタログ配信サーバ２は、カタログダイジェストデータをクライアントデバイス１に送信する（ステップＳ１５）。ステップＳ１５では、カタログダイジェストデータ内の各画像データが効果音およびエフェクト画像と一緒に再生されるように、カタログ配信サーバ２は、カタログダイジェストデータ内の各画像データを当該画像データに関連付けられたエフェクトＩＤと効果音ＩＤと共にクライアントデバイス１に送信する。クライアントデバイス１は、カタログダイジェストデータ内の複数の画像データを自動で連続的に表示する（ステップＳ１６）。
【０１０３】
図１７は、カタログ配信サーバ２によって実行されるカタログダジェストデータ送信動作の例を示す。  
クライアントデバイス１は、まず、カタログダジェストデータの画像データをカタログ配信サーバ２に要求する。カタログ配信サーバ２は、カタログダジェストデータ内の画像データ＃１をこの画像データ＃１に関連づけられた効果音ＩＤ、エフェクトＩＤ、コメント等と一緒にクライアントデバイス１に送信する。クライアントデバイス１は、図８の上部に示す画面（画像データ＃１、エフェクト画像、コメント）を表示すると共に、画像データ＃１に関連づけられた効果音ＩＤに対応する効果音を再生する。
【０１０４】
画像データ＃１、エフェクト画像、コメントが表示されている間に、クライアントデバイス１は、カタログダジェストデータの次の画像データをカタログ配信サーバ２に要求する。カタログ配信サーバ２は、カタログダジェストデータ内の画像データ＃２をこの画像データ＃２に関連づけられた効果音ＩＤ、エフェクトＩＤ、コメント等と一緒にクライアントデバイス１に送信する。
【０１０５】
画像データ＃１、エフェクト画像、コメントが表示されている時間がしきい時間Ｔ（例えば１０秒）に達すると、クライアントデバイス１は、図８の中部に示す画面（画像データ＃２、エフェクト画像、コメント）を表示すると共に、画像データ＃２に関連づけられた効果音ＩＤに対応する効果音を再生する。
【０１０６】
画像データ＃２、エフェクト画像、コメントが表示されている間に、クライアントデバイス１は、カタログダジェストデータのさらに次の画像データをカタログ配信サーバ２に要求する。カタログ配信サーバ２は、カタログダジェストデータ内の画像データ＃３をこの画像データ＃３に関連付けられた効果音ＩＤ、エフェクトＩＤ、コメント等と一緒にクライアントデバイス１に送信する。
【０１０７】
画像データ＃３、エフェクト画像、コメントが表示されている時間がしきい時間Ｔ（例えば１０秒）に達すると、クライアントデバイス１は、図８の下部に示す画面（画像データ＃３、エフェクト画像、コメント）を表示すると共に、画像データ＃３に関連づけられた効果音ＩＤに対応する効果音を再生する。
【０１０８】
図１８のフローチャートは、クライアントデバイス１によって実行されるカタログダジェストデータ再生処理の手順を示す。ここでは、カタログダジェストデータ内のある画像データに対応する再生処理を説明する。
【０１０９】
クライアントデバイス１は、カタログダジェストデータ内の画像データをカタログ配信サーバ２に要求する（ステップＳ２１）。クライアントデバイス１は、商品の画像データと、この商品の画像データに関連付けられた効果音ＩＤおよびエフェクトＩＤをカタログ配信サーバ２から受信する（ステップＳ２２）。クライアントデバイス１は、エフェクトＩＤに対応するエフェクト画像と商品の画像データとを合成し（ステップＳ２３）、この合成画像を表示する（ステップＳ２４）。さらに、クライアントデバイス１は、効果音ＩＤに対応する音（効果音）を再生する（ステップＳ２５）。
【０１１０】
なお、上述のクライアントデバイス１の機能はテレビジョン受信機３に内蔵してもよい。
【０１１１】
図１９は、クライアントデバイス１の機能が組み込まれたテレビジョン受信機３のシステム構成の例を示す。
【０１１２】
このテレビジョン受信機３は、制御部３０１、チューナ３０３、復調器３０４、信号処理部３０５、グラフィック処理部３０６、ＯＳＤ信号生成部３０７、映像処理部３０８、ディスプレイ（ＬＣＤ）３０９、音声処理部３１０、スピーカ３１１、リモコン信号受信部３１６、通信デバイス３１８等を備える。
【０１１３】
制御部３０１は、デジタルテレビジョン受信機１２内の各コンポーネントの動作を制御する。制御部３０１は、ＲＯＭ３１２、ＲＡＭ３１３、不揮発性メモリ３１４、及びＣＰＵ３１５を備える。ＲＯＭ３１２は、ＣＰＵ３１５によって実行される制御プログラム、各種アプリケーションプログラム等を格納する。不揮発性メモリ３１４は、各種の設定情報及び制御情報を格納する。ＣＰＵ３１５は、処理に必要な命令群及びデータをＲＡＭ３１３にロードし、処理を実行する。
【０１１４】
放送信号受信用アンテナ３０２は、デジタルテレビジョン放送信号（例えば、地上デジタルテレビジョン放送信号、衛星デジタルテレビジョン放送信号、等）を受信する。放送信号受信用アンテナ３０２は、受信したデジタルテレビジョン放送信号を、入力端子を介してチューナ３０３に出力する。チューナ３０３は、この放送信号からユーザが選択しているチャンネルの放送信号を選局する。チューナ３０３は、選局した放送信号を復調器３０４（例えば、ＯＦＤＭ（Orthogonal Frequency Division Multiplexing）復調器、ＰＳＫ（Phase Shift Keying）復調器、等）に出力する。復調器３０４は、チューナ３０３により選局された放送信号をデジタルの映像信号及び音声信号に復調する。復調器３０４は、復調したデジタルの映像信号及び音声信号を信号処理部３０５に出力する。
【０１１５】
信号処理部３０５は、復調器３０４によって出力されたデジタルの映像信号及び音声信号に対して所定のデジタル信号処理を施す。信号処理部３０５は、所定のデジタル信号処理を施した映像信号及び音声信号を、グラフィック処理部３０６及び音声処理部３１０に出力する。
【０１１６】
音声処理部３１０は、入力されたデジタル音声信号を、スピーカ３１１で再生可能なアナログ音声信号に変換する。音声処理部３１０は、このアナログ音声信号をスピーカ３１１に出力する。スピーカ３１１は、入力されたアナログ音声信号に基づいて音声を再生する。
【０１１７】
グラフィック処理部３０６は、信号処理部３０５から出力されるデジタル映像信号に、ＯＳＤ（On Screen Display）信号生成部２０７で生成されるメニュー等のＯＳＤ信号を重畳する。グラフィック処理部３０６は、ＯＳＤ信号が重畳された映像信号を映像処理部３０８に出力する。また、グラフィック処理部３０６は、信号処理部３０５の出力である映像信号と、ＯＳＤ信号生成部３０７の出力であるＯＳＤ信号のいずれかを出力してもよい。
【０１１８】
映像処理部３０８は、入力されたデジタル映像信号に所定の処理を施す。映像処理部３０８は、所定の処理が施されたデジタル映像信号を、ディスプレイ３０９で表示可能なアナログ映像信号に変換する。映像処理部３０８は、このアナログ映像信号をディスプレイ３０９に出力する。ディスプレイ３０９は、入力されたアナログ映像信号に基づいて映像を表示する。
【０１１９】
通信デバイス３１８は、例えば、３Ｇ移動通信や無線ＬＡＮのような無線通信、有線ＬＡＮのような有線通信等を実行するように構成されたデバイスである。
【０１２０】
リモコン信号受信部３１６は、リモートコントローラ４によって送信されたリモコン信号（例えば、赤外線による信号）を受信（受光）する。リモコン信号受信部３１６は、受信したリモコン信号を制御部３０１に出力する。
【０１２１】
不揮発性メモリ３１４には、上述の複数の効果音データおよび上述の複数のエフェクト画像データが格納される。
【０１２２】
上述したように、ＲＯＭ３１２には各種アプリケーションプログラムが格納されている。このアプリケーションプログラムには、例えば、カタログブラウザ３１３Ａが含まれる。このカタログブラウザ３１３Ａは、上述したクライアントデバイス１上で実行されるカタログブラウザ１０３Ｂと同様の機能構成を有する。したがって、ＣＰＵ３１５は、ＲＡＭ３１３にロードされたカタログブラウザ３１３Ａを実行することによって、テレビジョン受信機３上で、カタログダイジェストデータの表示制御処理（例えば、効果音の再生、エフェクト画像の再生）を行うことができる。
【０１２３】
以上説明したように、本実施形態によれば、カタログ配信サーバ２は、オペレータの操作に応じて、複数の画像データの各々に効果音ＩＤを設定する。そして、カタログ配信サーバ２は、複数の画像データの各々を当該画像データに関連付けられた効果音ＩＤと共に端末（クライアントデバイス１等）に送信して複数の画像データの各々とこれら複数の画像データの各々に対応する効果音データとを端末に再生させる。よって、送信データ量を抑制しつつ、商品の画像と追加の情報とを容易にユーザに提供することができる。
【０１２４】
複数の効果音データとしては、複数種の調理音を表す複数の音データを使用することができる。これにより、食品に対応する画像データにシズル感を与えることができる。
【０１２５】
さらに、カタログ配信サーバ２は、オペレータの操作に応じて、複数のエフェクト画像データの１つを示すエフェクトＩＤを複数の画像データの各々に関連付ける処理を実行することができる。これにより、ユーザに商品をさらに魅力的に提示することができる。
【０１２６】
なお、本実施形態の処理の手順はすべてソフトウェアによって実行することができる。このため、各処理の手順を実行するプログラムを格納したコンピュータ読み取り可能な記憶媒体を通じてこのプログラムを通常のコンピュータにインストールして実行するだけで、本実施形態と同様の効果を容易に実現することができる。
【０１２７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１２８】
１…クライアントデバイス、２…カタログ配信サーバ、３…テレビジョン受信機、４…リモートコントローラ、２２…カタログダイジェストデータ作成部、２３…送信部
【図１】
2015153294.tif 000003
【図２】
2015153294.tif 000004
【図３】
2015153294.tif 000005
【図４】
2015153294.tif 000006
【図５】
2015153294.tif 000007
【図６】
2015153294.tif 000008
【図７】
2015153294.tif 000009
【図８】
2015153294.tif 000010
【図９】
2015153294.tif 000011
【図１０】
2015153294.tif 000012
【図１１】
2015153294.tif 000013
【図１２】
2015153294.tif 000014
【図１３】
2015153294.tif 000015
【図１４】
2015153294.tif 000016
【図１５】
2015153294.tif 000017
【図１６】
2015153294.tif 000018
【図１７】
2015153294.tif 000019
【図１８】
2015153294.tif 000020
【図１９】
2015153294.tif 000021